(57)【要約】【課題】外観をより良好にした二重容器を提供する。【解決手段】二重容器１Ａは、内容器２０と、外容器１０と、回動部材３０と、を備える。回動部材には、回動部材が外容器に対して回動したときに、内容器に形成された第１係合部と係合して内容器を上昇させる第２係合部が形成されている。外容器は、その内部を外側から視認可能な材質により形成されている。内容器の少なくとも外周面には加飾部が設けられており、内容器の外周面および外容器の内周面はともに非円形状に形成されており、互いに周方向に係合する。【選択図】図１
2020164202.tif 000002
【特許請求の範囲】
【請求項１】
内容物が収容される有底筒状の内容器と、
前記内容器が収容される有底筒状の外容器と、
前記外容器の開口部に、前記外容器に対して容器軸回りに回動可能に取り付けられた回動部材と、を備え、
前記回動部材には、前記回動部材が前記外容器に対して容器軸回りに回動したときに、前記内容器に形成された第１係合部と係合して前記内容器を上昇させる第２係合部が形成され、
前記外容器は、その内部を外側から視認可能な材質により形成され、
前記内容器の少なくとも外周面には加飾部が設けられており、
前記内容器の外周面および前記外容器の内周面はともに非円形状に形成されており、互いに周方向に係合する、二重容器。
【請求項２】
前記内容器の外周面および前記外容器の内周面はそれぞれ、凸部および凹部が周方向に全周にわたって連ねられた形状となっている、請求項１に記載の二重容器。
【請求項３】
前記外容器の周壁の肉厚は、前記内容器の周壁の肉厚の３倍以上である、請求項１または２に記載の二重容器。
【請求項４】
前記回動部材の外側の表面には加飾部が設けられている、請求項１から３のいずれか１項に記載の二重容器。
【発明の詳細な説明】
【技術分野】
【０００１】
本発明は、二重容器に関する。
【背景技術】
【０００２】
特許文献１には、内容物が収容される有底筒状の内容器と、内容器が収容される有底筒状の外容器と、外容器の開口部に、外容器に対して容器軸回りに回動可能に取り付けられた回動部材と、を備えた二重容器が開示されている。この二重容器では、回動部材を外容器に対して容器軸回りに回動させると、回動部材に形成された雌ネジ部と内容器に形成された雄ネジ部とが係合して、内容器が上昇する。これにより、内容器を交換する際の操作性が良好となっている。内容器には、内容器の外容器に対する容器軸回りの回動を規制するための縦リブが設けられている。
【先行技術文献】
【特許文献】
【０００３】
【特許文献１】特開２０１６−２２２２８８号公報
【発明の概要】
【発明が解決しようとする課題】
【０００４】
この種の二重容器では、外観を良好にするために、外容器を、その内部を外側から視認可能な材質により形成するとともに、内容器の外周面に加飾層を設ける場合がある。この場合、特許文献１の構成では、内容器に形成された縦リブが外容器の外側から視認されてしまう点が、外観を良好にするうえでの課題となっていた。
【０００５】
本発明はこのような事情を考慮してなされ、外観をより良好にした二重容器を提供することを目的とする。
【課題を解決するための手段】
【０００６】
上記課題を解決するために、本発明の一態様に係る二重容器は、内容物が収容される有底筒状の内容器と、前記内容器が収容される有底筒状の外容器と、前記外容器の開口部に、前記外容器に対して容器軸回りに回動可能に取り付けられた回動部材と、を備え、前記回動部材には、前記回動部材が前記外容器に対して容器軸回りに回動したときに、前記内容器に形成された第１係合部と係合して前記内容器を上昇させる第２係合部が形成され、前記外容器は、その内部を外側から視認可能な材質により形成され、前記内容器の少なくとも外周面には加飾部が設けられており、前記内容器の外周面および前記外容器の内周面はともに非円形状に形成されており、互いに周方向に係合する。
【０００７】
上記態様によれば、回動部材を外容器に対して容器軸回りに回動させると、内容器の第１係合部と回動部材の第２係合部とが係合することで、内容器が外容器に対して上昇する。このとき、内容器の外周面および外容器の内周面がともに非円形状となっており互いに周方向に係合することで、内容器の外容器に対する容器軸回りの回動は規制されている。したがって、内容器が回動部材とともに外容器に対して回動することが抑えられ、確実に内容器を上昇させることができる。
さらに、外容器がその内部を外側から視認可能な材質により形成されており、内容器の少なくとも外周面には加飾部が設けられている。したがって、外容器を通して内容器の加飾部を使用者に視認させることが可能となっている。そして、内容器の外周面および外容器の内周面をともに非円形状とすることで内容器の外容器に対する回動を規制しているため、例えば内容器の外周面に縦リブなどを設ける場合と比較して、当該縦リブが使用者に視認されることがなく、二重容器の外観をより良好にすることができる。さらに、内容器の外周面は非円形状であり、かつ加飾部が設けられているため、美感の優れた二重容器とすることができる。
【０００８】
ここで、前記内容器の外周面および前記外容器の内周面はそれぞれ、凸部および凹部が周方向に全周にわたって連ねられた形状となっていてもよい。
【０００９】
この場合、内容器の外容器に対する容器軸回りの回動をより確実に規制することができる。また、凸部および凹部を周方向に連ねた形状によって、光の乱反射を用いた装飾効果を得たり、外容器の内周面および内容器の外周面を花形状、歯車形状、あるいは星型多角形状等に形成したりすることで、外観をより良好にすることもできる。
【００１０】
また、前記外容器の周壁の肉厚は、前記内容器の周壁の肉厚の３倍以上であってもよい。
【００１１】
この場合、外容器を厚肉に形成することで、例えば外容器の外観をガラスに近づけて、外観をより良好にすることができる。
【００１２】
また、前記回動部材の外側の表面には加飾部が設けられていてもよい。
【００１３】
この場合、外容器を通して回動部材を視認したときの美感を向上させることができる。さらに、回動部材の加飾部と内容器の加飾部とを同じ手段で設けたり、図柄、模様、文字などを連続させて表示したりすることで、内容器と回動部材との一体感を創出することも可能である。
【発明の効果】
【００１４】
本発明の上記態様によれば、外観をより良好にした二重容器を提供することができる。
【図面の簡単な説明】
【００１５】
【図１】第１実施形態に係る二重容器の半縦断面図である。
【図２Ａ】図１の外容器の平面図である。
【図２Ｂ】図１の外容器の半縦断面図である。
【図３Ａ】図１の内容器の下面図である。
【図３Ｂ】図１の内容器の部分縦断面図である。
【図４】図１の回動部材の半縦断面図である。
【図５】第２実施形態に係る二重容器の半縦断面図である。
【図６Ａ】図５の外容器および回動部材の平面図である。
【図６Ｂ】図５の外容器および回動部材の半縦断面図である。
【図７Ａ】図５の内容器の下面図である。
【図７Ｂ】図５の内容器の部分縦断面図である。
【発明を実施するための形態】
【００１６】
（第１実施形態）
以下、第１実施形態の二重容器について図面に基づいて説明する。
図１に示すように、二重容器１Ａは、外容器１０と、内容器２０と、回動部材３０と、蓋４０と、を備えている。内容器２０は有底筒状に形成されており、内部に内容物が収容される。外容器１０は有底筒状に形成されており、その内側に内容器２０が収容される。回動部材３０はリング状に形成されており、外容器１０の開口部１０ａに取り付けられている。蓋４０は有頂筒状に形成されており、外容器１０に対して着脱可能に取り付けられている。
【００１７】
二重容器１Ａは、例えばクリーム等の内容物を内容器２０に収容したジャー容器として用いることができる。また、内容器２０をリフィル容器として用い、必要に応じて内容器２０を新品に交換することができる。
【００１８】
（方向定義）
本実施形態では、外容器１０、内容器２０、回動部材３０、および蓋４０は、それぞれの中心軸線が共通軸上に配置されている。以下、この共通軸を容器軸Ｏといい、容器軸Ｏに沿う方向を上下方向という。
上下方向において、外容器１０の底壁１２側を下方といい、開口部１０ａ側を上方という。上下方向から見た平面視において、容器軸Ｏに交差する方向を径方向といい、容器軸Ｏ回りに周回する方向を周方向という。
【００１９】
図２Ａ、図２Ｂに示すように、外容器１０は、周壁１１と、底壁１２と、装着筒部１３と、口部１４と、を有している。本実施形態の外容器１０は透明な有色の樹脂により形成されている。なお、外容器１０は透明な無色の樹脂により形成されていてもよいし、無色または有色の半透明な樹脂により形成されていてもよい。外容器１０が透明または半透明な樹脂により形成されることで、外側から外容器１０の内部を視認可能となっている。なお、外容器１０の透明度は、内容器２０に設ける加飾部の態様に応じて適宜選択することができる。例えば、内容器２０の加飾部が、光沢のある蒸着層である場合には、当該蒸着層による光の反射が外容器１０を通して視認可能な程度の、比較的低い透明度を選択してもよい。あるいは、内容器２０の加飾部が、塗装、印刷、転写などによって設けられた色、文字、模様などである場合には、それらの色、文字、模様が外容器１０を通して視認可能な高い透明度を選択してもよい。
【００２０】
外容器１０の周壁１１は略円筒状に形成されている。周壁１１の外径は、周壁１１の下端部から上方に向かうに従い漸次大きくなっている。縦断面視において、周壁１１の外周面は、その下端部から上下方向の中央部にかけて湾曲している。ただし、周壁１１の上端部近傍では、周壁１１の外径は上下方向に沿って略一定となっている。
【００２１】
図２Ａに示すように、平面視において、周壁１１の内周面は非円形状に形成されている。より詳しくは、周壁１１の内周面に、径方向内側に向けて突出した複数の凸部１１ａと、径方向外側に向けて窪んだ複数の凹部１１ｂと、が形成されている。凸部１１ａおよび凹部１１ｂは、周壁１１の内周面における全周にわたって、周方向に交互に配置されている。
【００２２】
平面視において、凸部１１ａは径方向内側に向けて突出する曲面状に形成されており、凹部１１ｂは径方向外側に向けて窪む曲面状に形成されている。さらに、凸部１１ａと凹部１１ｂとはなだらかに接続されている。このため、平面視において、周壁１１の内周面は角部のない曲線状となっている。また、周壁１１の内周面は花形状に形成されている、ということもできる。
【００２３】
周壁１１の厚み（径方向の寸法）は、内容器２０の周壁２１の厚みの３倍以上であることが好ましく、４倍以上であることがより好ましい。例えば内容器２０の周壁２１の厚みが１ｍｍ程度の場合、外容器１０の周壁１１の厚みは３ｍｍ以上である。なお、本実施形態の周壁１１の厚みは周方向および上下方向に沿って変化しているが、本明細書では、周壁１１の全体における厚みの平均値を「外容器１０の周壁１１の厚み」と定義する。同様に、内容器２０の周壁２１の全体における厚みの平均値を「内容器２０の周壁２１の厚み」と定義する。
【００２４】
装着筒部１３は円筒状に形成されており、周壁１１から上方に向けて延びている。装着筒部１３の内径は周壁１１の上端部における内径より大きく、装着筒部１３の外径は周壁１１の上端部における外径より小さい。装着筒部１３の外周面には、雄ネジ部１３ａが形成されている。装着筒部１３には、蓋４０が装着される（図１参照）。
【００２５】
口部１４は円筒状に形成されており、装着筒部１３から上方に向けて延びている。口部１４の内周面は装着筒部１３の内周面と面一となっている。口部１４の外径は装着筒部１３の外径よりも小さい。口部１４の外周面には、径方向外側に向けて突出する第１嵌合部１４ａが形成されている。第１嵌合部１４ａは、口部１４の全周にわたって周方向に延びている。ただし、第１嵌合部１４ａは周方向に沿って間欠的に設けられていてもよい。口部１４の上端開口部が、外容器１０の開口部１０ａとなっている。
【００２６】
図３Ａ、図３Ｂに示すように、内容器２０は、周壁２１と、底壁２２と、第１係合部２３と、フランジ部２４と、を有している。内容器２０は樹脂により形成されている。内容器２０の少なくとも外周面には、加飾部が設けられている。本実施形態では、内容器２０の外側の表面のうちフランジ部２４の外周面よりも下側の部分に、加飾部が設けられている。より詳しくは、フランジ部２４の外周面、フランジ部２４の下面、周壁２１の外周面、および底壁２２の下面に、連続的に加飾部が設けられている。一方、フランジ部２４の上面および内容器２０の内側の表面には加飾部が設けられていない。なお、加飾部は、例えば内容器２０の周壁２１の外周面にのみ設けられてもよいし、内容器２０の外側の表面全体に設けられてもよい。また、図１に示すように、本実施形態では周壁２１の上部２１ａが回動部材３０によって径方向外側から覆われるため、周壁２１の下部２１ｂの外周面にのみ加飾部を設けてもよい。
【００２７】
本実施形態における加飾部は、蒸着によって金属光沢感が付与された部分である。蒸着による光の反射が外容器１０の外側から視認できる程度に、外容器１０は、着色された透明な樹脂によって、透明度が比較的低く形成されている。
なお、加飾部の種類や、加飾部を設ける手段については適宜変更可能である。加飾部の種類としては、図柄、模様、文字、着色などが挙げられる。加飾部を設ける手段については、蒸着、塗装、印刷、転写などが挙げられる。
【００２８】
周壁２１は略円筒状に形成されている。第１係合部２３は、周壁２１の上部２１ａにおける外周面に形成されている。第１係合部２３は、周方向に間隔を空けて複数形成されている。各第１係合部２３は、回動部材３０の後述する第２係合部３４と係合することで、内容器２０を上昇させる。各第１係合部２３は雄ネジ状に形成されており、上方から下方に向かうに従って、周方向における一方側から他方側に向けて延びている。
フランジ部２４は、周壁２１の上端部から径方向外側に向けて延びており、平面視で環状に形成されている。
【００２９】
図３Ａに示すように、内容器２０を下方から見たとき、周壁２１の外周面は非円形状に形成されている。より詳しくは、周壁２１の下部２１ｂ（図３Ｂ参照）における外周面に、径方向外側に向けて突出した凸部２１ｃと、径方向内側に向けて窪んだ凹部２１ｄと、が形成されている。凸部２１ｃおよび凹部２１ｄは、周壁２１の外周面における全周にわたって、周方向に交互に配置されている。
【００３０】
下面視において、凸部２１ｃは径方向外側に向けて突出する曲面状に形成されており、凹部２１ｄは径方向内側に向けて窪む曲面状に形成されている。さらに、凸部２１ｃと凹部２１ｄとはなだらかに接続されている。このため、下面視において、周壁２１の外周面は角部のない曲線状となっている。また、周壁２１の外周面は花形状に形成されている、ということもできる。
【００３１】
下面視における内容器２０の周壁２１の外周面の形状は、平面視における外容器１０の周壁１１の内周面の形状を小さくした形状となっている。内容器２０を外容器１０内に収容したとき、内容器２０の凸部２１ｃが、外容器１０の隣接する２つの凸部１１ａの間に挟まれる。また、内容器２０の凹部２１ｄ内に外容器１０の凸部１１ａが進入し、外容器１０の凹部１１ｂ内に内容器２０の凸部２１ｃが進入する。このような構成により、内容器２０の外周面と外容器１０の内周面とが周方向で互いに係合し、内容器２０の外容器１０に対する容器軸Ｏ回りの相対的な回転が規制される。
【００３２】
回動部材３０は、外容器１０に対して容器軸Ｏ回りに回動可能に取り付けられている。図４に示すように、回動部材３０は、係合筒部３１と、環状部３２と、嵌合筒部３３と、を有している。係合筒部３１は円筒状に形成されている。係合筒部３１の外径は外容器１０の装着筒部１３および口部１４の内径よりも小さい（図１参照）。係合筒部３１の内径は内容器２０の周壁２１における上部２１ａの外径よりも大きい。
【００３３】
図４に示すように、係合筒部３１の内周面には、第２係合部３４が形成されている。第２係合部３４は、周方向に間隔を空けて複数形成されている。各第２係合部３４は雌ネジ状に形成されており、上方から下方に向かうに従って、周方向における一方側から他方側に向けて延びている。なお、本実施形態では第１係合部２３および第２係合部３４は多条ネジとされているため、少ない回転量で内容器２０を外容器１０から取り外すことが可能となっており、内容器２０を交換する際の操作性が良好となっている。なお、第１係合部２３および第２係合部３４は１条ネジであってもよい。
【００３４】
環状部３２は、係合筒部３１の上端部から径方向外側に向けて延びており、平面視で環状に形成されている。環状部３２は、外容器１０の口部１４に対して上方から当接している。嵌合筒部３３は円筒状に形成されており、環状部３２の外周縁から下方に向けて延びている。嵌合筒部３３の内周面には、径方向内側に向けて突出する第２嵌合部３３ａが形成されている。第２嵌合部３３ａが外容器１０の第１嵌合部１４ａにアンダーカット嵌合することで、回動部材３０の外容器１０に対する上昇が規制されている。
【００３５】
図４に示すように、嵌合筒部３３の外周面には、指かけ部３３ｂが形成されている。指かけ部３３ｂは、周方向に間隔を空けて複数形成されている。各指かけ部３３ｂは、嵌合筒部３３の外周面から径方向内側に向けて窪んでいる。各指かけ部３３ｂは、嵌合筒部３３の下端部から、嵌合筒部３３の上下方向の中央部にかけて形成されている。指かけ部３３ｂは、使用者が回動部材３０を回動させるときの滑り止めとして用いられる。なお、指かけ部３３ｂは、嵌合筒部３３の外周面から径方向外側に向けて突出する複数の縦リブであってもよいし、嵌合筒部３３の外周面に設けられたローレット形状などであってもよい。
【００３６】
回動部材３０の外側の表面、すなわち係合筒部３１の外周面または嵌合筒部３３の外周面には、加飾部が設けられている。回動部材３０の加飾部は、内容器２０の加飾部と同様に、蒸着によって金属光沢が与えられた部分である。内容器２０の周壁２１の外周面、フランジ部２４の外周面、および回動部材３０の外側の表面に、同様の手段によって同様の加飾部が設けられているため、内容器２０および回動部材３０の一体感が創出されて、外観がより良好になっている。なお、内容器２０の加飾部と回動部材３０の加飾部とを連続させて一つの図柄、模様、文字などを表示させてもよい。
【００３７】
図１に示すように蓋４０は、頂壁４１および周壁４２を有する有頂筒状に形成されている。頂壁４１の上面は上方に向けて凸の曲面状に形成されている。頂壁４１の下面には、上方に向けて窪む凹部が形成されており、当該凹部の底面から下方に向けて複数のリブが形成されている。周壁４２の内周面には、外容器１０の雄ネジ部１３ａに螺着された雌ネジ部４２ａが形成されている。
【００３８】
蓋４０を外容器１０に対して容器軸Ｏ回りに回転させることで、蓋４０を外容器１０から取り外したり、蓋４０を外容器１０に取り付けたりすることができる。蓋４０の内側にはシール部材４３が設けられている。シール部材４３は円板状に形成されており、内容器２０のフランジ部２４に対して上方から接している。蓋４０が外容器１０に取り付けられたとき、シール部材４３がフランジ部２４と頂壁４１との間で挟まれることで、内容器２０の内部が密封される。
【００３９】
次に、以上のように構成された二重容器１Ａの作用について説明する。
【００４０】
内容器２０を交換する場合、まず蓋４０を外容器１０から取り外す。次に、回動部材３０を外容器１０に対して容器軸Ｏ回りに回動させる。このとき、回動部材３０に指かけ部３３ｂが形成されていることで、回動部材３０を回動させる操作が容易となっている。
【００４１】
回動部材３０を回動させると、内容器２０の第１係合部２３と回動部材３０の第２係合部３４とが係合することで、内容器２０が外容器１０に対して上昇する。ここで、先述の通り、内容器２０の外周面および外容器１０の内周面はともに非円形状となっており、互いに周方向に係合するため、内容器２０の外容器１０に対する容器軸Ｏ回りの回動は規制されている。したがって、内容器２０が回動部材３０とともに外容器１０に対して回動することが抑えられ、より確実に内容器２０を上昇させることができる。
【００４２】
また、外容器１０がその内部を外側から視認可能な材質により形成されており、内容器２０の周壁２１の外周面には加飾部が設けられている。したがって、外容器１０を通して内容器２０の加飾部を使用者に視認させることが可能となっている。そして、内容器２０の外周面および外容器１０の内周面をともに非円形状とすることで内容器２０の外容器１０に対する回動を規制しているため、例えば内容器２０の外周面に縦リブなどを設ける場合と比較して、当該縦リブが使用者に視認されることがなく、二重容器１Ａの外観をより良好にすることができる。さらに、内容器２０の外周面は非円形状であり、かつ加飾部が設けられているため、美感の優れた二重容器１Ａとすることができる。
【００４３】
また、内容器２０の外周面は凸部２１ｃおよび凹部２１ｄが周方向に全周にわたって連ねられた形状となっており、外容器１０の内周面も凸部１１ａおよび凹部１１ｂが周方向に全周にわたって連ねられた形状となっている。この構成により、内容器２０の外容器１０に対する容器軸Ｏ回りの回動をより確実に規制することができる。また、光の乱反射を用いた装飾効果を得たり、外容器１０の内周面および内容器２０の外周面を、花形状、歯車形状、あるいは星型多角形状に形成したりすることで、外観をより良好にすることもできる。
【００４４】
また、内容器２０の外周面および外容器１０の内周面が略同一の形状となっているため、内容器２０を外容器１０に装着した状態で、内容器２０と外容器１０との間に隙間が生じにくくなっている。このため、例えば内容器２０と外容器１０との間に一部だけ大きな隙間が生じるような構造となっておらず、外観がより良好となっている。
【００４５】
また、外容器１０の周壁１１の肉厚を内容器２０の周壁２１の肉厚の３倍以上とし、外容器１０を厚肉に形成することで、例えば外容器１０の外観をガラスに近づけて、外観をより良好にすることができる。
【００４６】
また、回動部材３０の外側の表面、すなわち係合筒部３１または嵌合筒部３３の外周面に加飾部を設けた場合、外容器１０を通して回動部材３０を視認したときの美感を向上させることができる。さらに、回動部材３０の加飾部と内容器２０の加飾部とを同じ手段で設けたり、図柄、模様、文字などを連続させて表示したりすることで、内容器２０と回動部材３０との一体感を創出することも可能である。
【００４７】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００４８】
本実施形態では、外容器１０が無色透明に形成されている。図５に示すように、本実施形態の二重容器１Ｂでは、外容器１０の周壁１１の外周面が、縦断面視において直線状に延びている。また、外容器１０の底壁１２の厚みが、周壁１１の厚みと同等になっている。なお、底壁１２の厚みを周壁１１の厚み以上とすることで、外容器１０の外観をより良好にしてもよい。底壁１２を厚肉に形成することで、二重容器１Ｂの側面に対して、二重容器１Ｂの底部を透明かつ肉厚な見た目とすることができる。これにより、二重容器１Ｂの外観がよりガラス容器に近づき、高級感のある外観形状とすることができる。また、本実施形態でも底壁１２の厚みは周壁１１と同等となっており、上述の通り高級感のある見た目となっている。
【００４９】
図６Ａに示すように、外容器１０における周壁１１の内周面は、平面視において星型多角形状に形成されている。より詳しくは、平面視において、外容器１０の凸部１１ａは径方向内側に向けて突出する鈍角の角部となっており、凹部１１ｂは径方向外側に向けて窪む鈍角の隅部となっている。凸部１１ａおよび凹部１１ｂは、周壁１１の内周面における全周にわたって、周方向に交互に配置されている。周壁１１の内周面は、平面視において星型多角形状に形成されている、ということもできる。
【００５０】
図６Ａ、図６Ｂに示すように、本実施形態の指かけ部３３ｂは、回動部材３０の嵌合筒部３３の上端部から、上下方向における中央部にかけて形成されている。図６Ａに示すように、指かけ部３３ｂは周方向に間隔を空けて複数形成されている。各指かけ部３３ｂは、嵌合筒部３３の外周面から径方向内側に向けて窪む曲面状に形成されている。
【００５１】
図７Ａ、図７Ａに示すように、本実施形態においても内容器２０の周壁２１の下部２１ｂにおける外周面に、凸部２１ｃおよび凹部２１ｄが形成されている。図７Ａに示すように、下面視において、凸部２１ｃは径方向外側に向けて突出する鈍角の角部となっており、凹部２１ｄは径方向内側に向けて窪む鈍角の隅部となっている。凸部２１ｃおよび凹部２１ｄは、周壁２１の外周面における全周にわたって、周方向に交互に配置されている。周壁２１の外周面は、下面視において星型多角形状に形成されている、ということもできる。
【００５２】
本実施形態でも、下面視における内容器２０の周壁２１の外周面の形状は、平面視における外容器１０の周壁１１の内周面の形状を小さくした形状となっている。内容器２０を外容器１０内に収容したとき、内容器２０の凸部２１ｃが、外容器１０の２つの凸部１１ａの間に挟まれる。また、内容器２０の凹部２１ｄ内に外容器１０の凸部１１ａが進入し、外容器１０の凹部１１ｂ内に内容器２０の凸部２１ｃが進入する。このような構成により、内容器２０の外容器１０に対する容器軸Ｏ回りの相対的な回転が規制される。
【００５３】
本実施形態でも、第１実施形態と同様の作用効果が得られる。すなわち、外容器１０がその内部を外側から視認可能な材質により形成されており、内容器２０の周壁２１の外周面には加飾部が設けられている。したがって、外容器１０を通して内容器２０の加飾部を使用者に視認させることが可能となっている。そして、内容器２０の外周面および外容器１０の内周面をともに非円形状とすることで内容器２０の外容器１０に対する回動を規制しているため、例えば内容器２０の外周面に縦リブなどを設ける場合と比較して、当該縦リブが使用者に視認されることがなく、二重容器１Ｂの外観をより良好にすることができる。
【００５４】
また、本実施形態では、第１実施形態と異なり、外容器１０が無色透明に形成されている。このため、内容器２０の外周面に形成された、加飾部としての金属光沢を付与する蒸着層を外容器１０の外側から視認すると銀色となっている。
【００５５】
また、第１実施形態と同様に、本実施形態においても、外容器１０の周壁１１の肉厚が内容器２０の周壁２１の肉厚の３倍以上となっている。このように外容器１０を厚肉に形成することで、例えば外容器１０の外観をガラスに近づけて、外観をより良好にすることができる。
また、回動部材３０の外側の表面、すなわち係合筒部３１または嵌合筒部３３の外周面に加飾部が設けられている。これにより、外容器１０を通して回動部材３０を視認したときの美感を向上させることができる。さらに、回動部材３０の加飾部と内容器２０の加飾部とを同じ手段で設けたり、図柄、模様、文字などを連続させて表示したりすることで、内容器２０と回動部材３０との一体感を創出することも可能である。
【００５６】
なお、本発明の技術的範囲は前記実施の形態に限定されず、本発明の趣旨を逸脱しない範囲において種々の変更を加えることが可能である。
【００５７】
例えば、第１実施形態および第２実施形態では、内容器２０の外周面および外容器１０の内周面はそれぞれ、凸部および凹部が周方向に全周にわたって連ねられた形状となっていた。しかしながら、例えば内容器２０の外周面を下面視で楕円形状とし、外容器１０の内周面を平面視で楕円形状としてもよい。この場合も、内容器２０の外周面と外容器１０の内周面とが係合することで、内容器２０の外容器１０に対する容器軸Ｏ回りの回動を規制することができる。また、内容器２０の外周面および外容器１０の内周面を楕円形状とすることで内容器２０の外容器１０に対する容器軸Ｏ回りの回動を規制するため、例えば内容器２０の外周面に縦リブなどを設ける場合と比較して、当該縦リブが使用者に視認されることがなく、二重容器の外観をより良好にすることができる。
【００５８】
また、第１実施形態および第２実施形態では、第１係合部２３および第２係合部３４はネジ状であったが、一方を螺旋状の溝とし、他方を当該溝に係合する突起としてもよい。この場合も、回動部材３０が外容器１０に対して容器軸Ｏ回りに回動したときに、第１係合部と第２係合部とを係合させて、内容器２０を上昇させることができる。
【００５９】
また、外容器１０の内側の表面や、外容器１０の外側の表面に加飾を設けることも可能である。
また、内容器２０は着色された成形体であってもよい。
【００６０】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００６１】
１Ａ、１Ｂ…二重容器  １０…外容器  １０ａ…開口部  １１…外容器の周壁  １１ａ…凸部  １１ｂ…凹部  ２０…内容器  ２１…内容器の周壁  ２１ｃ…凸部  ２１ｄ…凹部  ２３…第１係合部  ３０…回動部材  ３４…第２係合部  Ｏ…容器軸
【図１】
2020164202.tif 000003
【図２Ａ】
2020164202.tif 000004
【図２Ｂ】
2020164202.tif 000005
【図３Ａ】
2020164202.tif 000006
【図３Ｂ】
2020164202.tif 000007
【図４】
2020164202.tif 000008
【図５】
2020164202.tif 000009
【図６Ａ】
2020164202.tif 000010
【図６Ｂ】
2020164202.tif 000011
【図７Ａ】
2020164202.tif 000012
【図７Ｂ】
2020164202.tif 000013